【事件の表示】
　特許第３０９９８２１号「画像形成装置」の請求項１ないし４に係る特許に対する特許異議の申立てについて、次のとおり決定する。
【結　論】
　訂正を認める。
　特許第３０９９８２１号の請求項１ないし４に係る特許を取り消す。
【理　由】
１. 手続きの経緯
　特許第３０９９８２１号（以下、「本件特許」と言う。）の請求項１〜４に係る発明は、平成２年１月２３日に出願した特願平２−１４４５１号の一部を、平成１１年４月２７日に新たな特許出願としたものであって、平成１２年８月１８日にその特許権が登録された。その後、平成１２年１０月１６日に特許公報が発行され、特許異議申立期間内である平成１３年４月１６日に、特許異議申立人渡辺等および特許異議申立人境恒徳よりそれぞれ特許異議の申し立てがされ、平成１３年７月２３日付けで取消理由が通知され、その指定期間内である平成１３年１０月２日に訂正請求書および意見書が提出されたものである。
　
２. 訂正の適否についての判断
２.１. 訂正の内容
　平成１３年１０月２日付けで提出された訂正請求書は、本件特許明細書を、当該訂正請求書に添付した訂正明細書のとおりに訂正することを求めるものである。そして、訂正請求書に記載された請求の理由および訂正明細書の記載によると、以下の訂正事項を含んでいる。
　
（訂正事項１）
　発明の名称を「画像形成装置におけるトナー供給装置」から「画像形成装置」に訂正する。
　
（訂正事項２）
　特許請求の範囲の請求項１に
　
「現像装置と、
　前記現像装置にトナーを供給するために内部にトナーが貯蔵される脱着可能なトナーカートリッジと、
　前記トナーカートリッジが着脱可能に装着されるトナーカートリッジ設置部とを有する画像形成装置において、
　前記トナーカートリッジ設置部は、
　前記トナーカートリッジが画像形成装置本体内で保持され、かつ前記現像装置に対しトナー供給可能状態である位置と、一端側が前記画像形成装置本体から飛び出し、前記トナーカートリッジを前記トナーカートリッジ設置部に対して交換可能である位置とに、その他端側を中心に回転可能であることを特徴とする画像形成装置におけるトナー供給装置。」
　
とあるのを、
　
「現像装置と、
　前記現像装置にトナーを供給するために内部にトナーが貯蔵される脱着可能なトナーカートリッジと、
　前記トナーカートリッジが着脱可能に装着されるトナーカートリッジ設置部とを有する画像形成装置において、
　前記トナーカートリッジ設置部は、
　前記トナーカートリッジが画像形成装置本体内で保持され、かつ前記現像装置に対しトナー供給可能状態である位置と、一端側が前記画像形成装置本体から
外に
　
と訂正する。
　
（訂正事項３）
　特許請求の範囲の請求項４に
　
「前記トナーカートリッジの下にトナーを収容するトナー収容部が配置され、このトナー収容部の下に前記現像装置の撹拌手段が配置されていることを特徴とする請求項１ないし３のいずれか１記載の画像形成装置におけるトナー供給装置。」
　
とあるのを、
　
「前記トナーカートリッジの下にトナーを収容するトナー収容部が配置され、
このトナー収容部は、トナーを循環して搬送する複数のアジテータを有し、
　
と訂正する。
　
（訂正事項４）
　発明の詳細な説明の段落００４８（特許公報の第７ページ左欄第８行から第１６行まで）に
　
「【発明の効果】以上の説明から明らかなように、本発明によれば、トナーカートリッジがトナー供給可能状態である位置に設定されたときは、トナーカートリッジが画像形成装置本体内に収容され、また、トナーカートリッジが交換可能である位置に設定されたときは、トナーカートリッジの少なくとも一部を画像形成装置本体から飛び出すようにしているので、ユーザでもトナーカートリッジを簡単に交換できるようになり、トナー補給の作業性が向上する。」
　
とあるのを、
　
「【発明の効果】以上の説明から明らかなように、本発明によれば、トナーカートリッジがトナー供給可能状態である位置に設定されたときは、トナーカートリッジが画像形成装置本体内に収容され、また、トナーカートリッジが交換可能である位置に設定されたときは、トナーカートリッジ
設置部
外に
　
と訂正する。
　
２.２. 訂正の目的の適否、新規事項の有無および特許請求の範囲の拡張または変更の存否
２.２.１. 訂正事項１について
　この訂正は、発明の名称を訂正するものである。
　そして、この訂正は、誤記の訂正を目的とするものであると認められ、願書に添付した明細書または図面に記載した事項の範囲内においてされており、実質上特許請求の範囲を拡張し、または変更するものではない。
　
２.２.２. 訂正事項２について
　この訂正は、訂正前の請求項１に記載された「一端側が前記画像形成装置本体から飛び出し」を、「一端側が前記画像形成装置本体から
外に
　そして、この訂正は、特許請求の範囲の減縮を目的とするものであって、願書に添付した明細書または図面に記載した事項の範囲内においてされており、実質上特許請求の範囲を拡張し、または変更するものではない。
　
２.２.３. 訂正事項３について
　この訂正は、訂正前の請求項４に「このトナー収容部は、トナーを循環して搬送する複数のアジテータを有し、」という記載を追加することにより、トナー収容部の構成を限定するものである。このように、トナー収容部が複数のアジテータを有することは、本件特許明細書の発明の詳細な説明の段落００３５に、「トナー収容部１０３０ａ、１０３０ｂには、…アジテータ１０４２、１０４３が互いに平行に配設されている。」と記載されている。
　そして、この訂正は、特許請求の範囲の減縮を目的とするものであって、願書に添付した明細書または図面に記載した事項の範囲内においてされており、実質上特許請求の範囲を拡張し、または変更するものではない。
　
２.２.４. 訂正事項４について
　この訂正は、訂正前の請求項１が訂正事項２のとおりに訂正されたことに伴い、特許請求の範囲と発明の詳細な説明との間で生じた記載の食い違いを、発明の詳細な説明の段落００４８の記載を訂正後の請求項１の記載にそろえることにより、整合させるとともに、訂正後の請求項１に係る発明の効果を明確にするものである。
　そして、この訂正は、明瞭でない記載の釈明を目的とするものであって、願書に添付した明細書または図面に記載した事項の範囲内においてされており、実質上特許請求の範囲を拡張し、または変更するものではない。
　
２.３. むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項および第３項の規定に適合するので、当該訂正を認める。
　
３. 特許異議申立てについての判断
３.１. 本件発明
　上述のとおり、本件特許明細書の訂正が認められる。そして、本件特許の訂正後の請求項１〜４に係る発明（以下、「本件発明１〜４」と言う。）は、訂正明細書および図面の記載から見て、その特許請求の範囲の請求項１〜４に記載された次のとおりのものである。
　
【請求項１】
　現像装置と、
前記現像装置にトナーを供給するために内部にトナーが貯蔵される脱着可能なトナーカートリッジと、
　前記トナーカートリッジが着脱可能に装着されるトナーカートリッジ設置部とを有する画像形成装置において、
　前記トナーカートリッジ設置部は、
　前記トナーカートリッジが画像形成装置本体内で保持され、かつ前記現像装置に対しトナー供給可能状態である位置と、一端側が前記画像形成装置本体から外に飛び出し、前記トナーカートリッジを前記トナーカートリッジ設置部に対して交換可能である位置とに、その他端側を中心に回転可能であることを特徴とする画像形成装置におけるトナー供給装置。
　
【請求項２】
　前記現像装置に対しトナー供給可能状態である位置は、前記画像形成装置本体のコンソールパネルの下部に設定されていることを特徴とする請求項１記載の画像形成装置におけるトナー供給装置。
　
【請求項３】
　前記トナーカートリッジを前記トナーカートリッジ設置部に対して交換可能である位置では、前記現像装置にトナーを供給する前記トナーカートリッジ設置部からのトナー供給孔がシャッタにより閉じた状態に設定されることを特徴とする請求項１または２記載の画像形成装置におけるトナー供給装置。
　
【請求項４】
　前記トナーカートリッジの下にトナーを収容するトナー収容部が配置され、このトナー収容部は、トナーを循環して搬送する複数のアジテータを有し、このトナー収容部の下に前記現像装置の撹拌手段が配置されていることを特徴とする請求項１ないし３のいずれか１記載の画像形成装置におけるトナー供給装置。
　
３.２. 取消理由通知の概要
　当審が平成１３年７月２３日付けで通知した取消理由の概要は、以下のとおりである。
　
「（理由１）
　本件特許の請求項１、２および４に係る発明は、その出願前日本国内において頒布された以下の刊行物１〜３に記載された発明に基づいて、その出願前にその発明の属する技術の分野における通常の知識を有する者が容易に発明をすることができたものであるから、特許法第２９条第２項の規定により特許を受けることができない。
　
　（理由２）
　本件特許の請求項１〜４に係る発明は、その出願前日本国内において頒布された以下の刊行物２、４〜９に記載された発明に基づいて、その出願前にその発明の属する技術の分野における通常の知識を有する者が容易に発明をすることができたものであるから、特許法第２９条第２項の規定により特許を受けることができない。
　
　　刊行物１：特開昭５９−１８８６７８号公報
　　　　　　（特許異議申立人境恒徳が提出した甲第１号証）
　　刊行物２：特開昭６１−９９１７７号公報
　　　　　　（特許異議申立人渡辺等が提出した甲第２号証）
　　刊行物３：特開昭６３−７５７６９号公報
　　　　　　（特許異議申立人渡辺等が提出した甲第１号証）
　　刊行物４：実願昭６３−５２１２０号（実開平１−１５７３５８号）の
　　　　　　　マイクロフィルム
　　　　　　（特許異議申立人渡辺等が提出した甲第３号証）
　　刊行物５：実願昭６２−１６８２３８号（実開平１−７３８６１号）の
　　　　　　　マイクロフィルム
　　　　　　（特許異議申立人境恒徳が提出した甲第５号証）
　　刊行物６：特開平６２−５９９８２号公報
　　　　　　（特許異議申立人境恒徳が提出した甲第８号証）
　　刊行物７：特開昭６４−７７０７６号公報
　　　　　　（特許異議申立人境恒徳が提出した甲第９号証）
　　刊行物８：特開平１−１９８７８０号公報
　　　　　　（特許異議申立人境恒徳が提出した甲第１２号証）
　　刊行物９：実願昭５６−２９３１４号（実開昭５７−１４２７４４号）
　　　　　　　のマイクロフィルム
　　　　　　（特許異議申立人境恒徳が提出した甲第２号証）」
　
３.３. 刊行物に記載された事項
３.３.１. 刊行物１
　刊行物１には、以下の（１ａ）〜（１ｅ）の事項が図面とともに記載されている。
　
（１ａ）第２ページ左上欄第６行から第１９行まで
「第２図は、本発明の特徴部分をなすトナー補給ユニットについてその全容を示したもので、このユニット４は、現像装置本体の一側に取付けられる。現像装置本体は第３図に示されており、符号２は、内部に現像ローラ２１、羽根車２２等を備えてなる一般的な乾式現像ユニットを示すもので、複写機本体１の上部に取付けられたこのケーシング２３の上部には、その長手方向にトナー容器３が沿設され、容器３の内部を貫通する軸３１には、トナー攪拌用のアジテータ３２が設けられ、また、現像ユニット２との連通口３３には、図示しないトナー濃度センサーの出力信号により回動するトナー補給ローラ３４が軸設されている。」
　
（１ｂ）第２ページ左上欄第２０行から右下欄第８行まで
「ところで、本発明の特徴部分をなすトナー補給ユニット４は、上記したトナー容器３の一端に取付けられ、後述するトナーカートリッジを保持しこれをトナー補給ローラ３４と同期させつつ回動させて、その内部に収納されたトナーを順次トナー容器３の一端から供給するように構成されている。
　次にこの詳細を説明すると、図中符号４１は、トナー容器３の操作側の側板３５に突設した筒体で、この中心にはトナー容器３内から伸びてきた軸３１が貫通しており、軸３１には、筒体４１の側部に穿設したトナー流入口４２から流入したトナーをトナー容器３内に移送するためのスパイラル状をなしたトナー送り板４３（第４、５図）が取付けられている。４４は、上記筒体４１の周囲に可回動的に覆っている支持筒で、この側面には、トナーカートリッジの口部を気密にかつ可回動的に包被支承する蓋状の受け４５が一体的に取付けられ、この奥には、筒体４１の周壁に達する開口４６が穿設されていて、受け４５を水平位置に回動させた際、開口４６が筒体４１の上記したトナー流入口４２と合致するようになっている。４７は、この受け４５にビス４８をもって固定されたカートリッジ保持用の腕で、第６図に示したようにこの腕４７には、カートリッジ６の下面と側面を支持する保持皿５２が両者間に張設したバネ４８によって常時受け４２に向けて付勢された状態で載置されており、また、この腕４７の下面にはつまみ４９が取付けられ、このつまみ４９を回動することによって、円弧状溝５１から腕４７の底面に突出したピン５０を脚５３に係合させて保持皿５２を上下に動かすように構成されている。
　他方、この腕４７上に載置された保持皿５３は、端部にトナーカートリッジ６の下面中心部６４を支える底板５４が立設し、また、この底板５４には、複写機本体１に設けた磁性材からなる係止部１１（第４図）と吸着して保持したトナーカートリッジ６を水平位置に保持するための永久磁石片５５が固設されている。
　５６は、腕４７を水平位置に回動させた際、保持皿５２上に載置したトナーカートリッジ６の歯車６３と噛合うピニオンで、このピニオン５６は、トナー容器３の側壁から突出したトナー補給ローラ軸３５の軸端に取付けたウオームギヤ３６からアイドラー５７を介して回転力を受けており、この回転力によってトナーカートリッジ６をトナー補給ローラ３４と同期させて駆動するように構成されている。」
　
（１ｃ）第２ページ右下欄第９行から第１７行まで
「また、保持皿５２上に載置するトナーカートリッジ６について説明すると、このカートリッジ６は、ワンウェイ容器として樹脂材により形成されており、第２、４図からも明らかなように円筒状をした本体内面には、収納したトナーを口部６１に導く螺旋状のリブ６２が、また、口部６１の近くには、上記したピニオン５６と噛合うフランジ状をなした歯車６３がそれぞれカートリッジ６の補強部を兼ねて一体的に形成されている。」
　
（１ｄ）第３ページ左上欄第４行から右上欄第１９行まで
「はじめに筒体４１を支点として腕４７を下方に回動し（第４図の実線位置）、つまみ４９を回して脚５３と係合するピン５０により保持皿５２を下方に押下げると（第４図２点鎖線位置）、トナーカートリッジ６は受４５から外せるような状態になる。したがって、この状態で空になったカートリッジ６を新しいのと取換え、つまみ４９をもとの位置に戻してピン５０による押圧を解けば、保持皿５２を介してカートリッジ６はバネ４８の付勢力により受４５内に押上げられる。
　次に、この状態から腕４７を図中時計方向に９０°回転させ、保持皿４７上の永久磁石５５を複写機本体１の所定箇所に設けた係止片１１に吸着させて腕４７を水平に保持すると、保持皿５２に載置されたカートリッジ６の歯車６３はピニオン５６と噛合い、また、この回動によって受４５内の開口４６は筒体４１側面に穿ったトナー流入口４２と合致してトナー補給が可能な状態となる。
　現像処理動作が繰返されて現像ユニット２内のトナー濃度が低下すると、図示しないトナー濃度センサーの出力信号により電磁クラッチが作動してトナー補給ローラ３４が回動を始め、これに伴ってこの軸３５に固定されたウオームギヤ３６がピニオン５６を介して保持皿５２上に回動可能に支持されたカートリッジ６を回動させる。上述したように、このカートリッジ６の内面には螺旋状のリブ６２が設けられているため、この回動により内部に収納されていたトナーは徐々に口部６１に送り出され、受４５内に穿たれた開口４６を経てトナー流入口４２から筒体４１内に流入し、さらに、ここで常時回転している軸３１上のトナー送り板４３によってトナー容器３内へと送り込まれ、この動作は、現像ユニット２内のトナー濃度が所定の値になってトナー補給ローラ３４が再び停止するまで続けられる。」
　
（１ｅ）第３図および第４図
　トナーカートリッジ６の斜め下にトナー容器３が配置され、このトナー容器３の斜め下に乾式現像ユニット２の羽根車２２が配置されていることが読み取れる。
　
　これらの事項および第２図から第６図までに示された事項を総合すると、刊行物１には、次のような発明が記載されている。
　
「乾式現像ユニット２と、
　前記乾式現像ユニット２にトナーを補給するために内部にトナーが収納される脱着可能なトナーカートリッジ６と、
　前記トナーカートリッジ６が着脱可能に装着されるトナーカートリッジ保持用腕４７とを有する乾式複写機において、
　前記トナーカートリッジ保持用腕４７は、
　前記トナーカートリッジ６が乾式複写機内で保持され、かつ前記乾式複写機にトナー補給可能状態である位置と、前記トナーカートリッジ６を前記トナーカートリッジ保持用腕４７に対して交換可能である位置とに、その他端側を中心に回転可能である乾式複写機におけるトナー補給装置」
　
３.３.２. 刊行物２
　刊行物２には、以下の（２ａ）〜（２ｆ）の事項が図面とともに記載されている。
　
（２ａ）第２ページ右上欄第９行から第１４行まで
「この複写装置本体４の上面には前記原稿自動送り装置３により送り込まれる原稿Ａが載置される原稿載置部としての原稿載置ガラス５が設けられているとともに上面前端縁部には第４図において後述する操作盤６が設けられている。」
　
（２ｂ）第９ページ左下欄第６行から第１３行まで
「また、前述のように構成された各現像ユニット１３２、１３３には、第１７図に示すようにフロントカバー１７０を開けることにより露出する状態に現像剤受取り搬送部１３２ａ、１３３ａが突出しており、これら現像剤受取り搬送部１３２ａ、１３３ａに連結する状態にカートリッジ式の現像剤補給装置１７１、１７２が着脱可能に装着されている。」
　
（２ｃ）第９ページ左下欄第１９行から第１０ページ右上欄第１１行まで
「前記第２の現像ユニット１３３側の現像剤補給装置１７２は、第１８図〜第２０図に示すように構成されている。すなわち、１７５は現像剤Ｄａを収納する容器であり、この容器１７５の底部には回転駆動されることによって現像剤Ｄｂを軸方向に移送する移送スクリュー１７６が収納された状態になっている。
　また、この容器１７５の移送スクリュー１７６の現像剤移送方向に位置する一側端側の下部には現像剤受取り搬送部１３３ａに連設された被装着部としてのホルダ１７７に対して挿脱自在な嵌合突出部１７５ａが形成されている。この嵌合突出部１７５ａの下面側には、移送スクリュー１７６により移送されてきた現像剤Ｄｂを放出する現像剤放出口１７８が形成されている。
　さらに、前記ホルダ１７７は現像剤受取り搬送部１３３ａの上面側に回動自在に取付けられた状態となっているとともにその底面には現像剤受取り搬送部１３３ａの現像剤移送軸（トナーオーガ）１８２に対応して被補給口１７９が形成された状態となっている。
　また、移送スクリュー１７６の一端部には前記ホルダ１７７の端面から突出して駆動装置１８０の駆動カップリング１８１と連結する連結部１７６ａを有した状態となっている。
　前記嵌合突出部１７５ａの下面側には現像剤放出口１７８を開閉すべくスライド自在に蓋体１８３が設けられている。一方、ホルダ１７７側には蓋体１８３に形成された係合突起１８３ａと係合する係合部としての凹所１８４が形成されていて、前記ホルダ１７７に対する嵌合突出部１７５ａの挿脱動作時に伴って第２０図（ａ）、（ｂ）に示すように前記現像剤放出口１８０を開閉すべく蓋体１８３がスライドするようになっている。
　また、前記駆動装置１８０は第１７図および第１８図に示すように、前記カップリング１８１と一体の歯車１８６と、この歯車１８６と噛合するウォーム歯車１８７と、このウォーム歯車１８７を駆動するモータ１８８を有するとともに第１８図の矢印Ｆ方向にスライド可能な可動ベース１９０に取付けられた状態となっている。
　しかして、前述の現像剤エンプテー検出器１７４からの検出信号によってモータ１８８が所定時間駆動され、移送スクリュー１７６が回転する。
　これにより、容器１７５内の現像剤Ｄｂが現像剤放出口１７８側に送られ、現像剤受取り搬送部１３３ａの被補給口１７９に送り込まれる。ついで、現像剤受取り搬送部１３３ａの被補給口１７９に送り込まれた現像剤Ｄｂは現像剤１８２の回転に伴って現像剤収容部１５０内上方に運ばれる。」
　
（２ｄ）第１０ページ左下欄第４行から第１６行まで
「また、現像剤Ｄｂが無くなった場合など、カートリッジ式の現像剤補給装置１７２を取外す場合には、まず、駆動装置１８０を第１８図の状態において図中右方向に変位させることにより、移送スクリュー１７６の連結部１７６ａとカップリング１８１との係合動作を解除する。ついで、現像剤補給装置１７２の全体をホルダ１７７を中心として手前側に回動変位させた後、手前側に引くことによりホルダ１７７から嵌合突出部１７５ａを引抜くことになる。
　また、新しい現像剤補給装置１７２を取付ける場合には、上記の逆手順で行なえば良いことになる。」
　
（２ｅ）第１０ページ左下欄第１７行から第１１ページ右上欄第１３行まで
「一方、前記第１の現像ユニット１３２側の現像剤補給装置１７１は、第１８図および第１９図に示すように前記第２の現像ユニット１３３側の現像剤補給装置１７２と略同じ構成となっている。すなわち、２１０は現像剤Ｄａを収納する容器であり、この容器２１０の底部には回転駆動されることによって現像剤Ｄａを軸方向に移送する移送スクリュー２１１が収納された状態になっている。
　また、この容器２１０の移送スクリュー２１１の現像剤移送方向に位置する一側端側の下部には現像剤受取り搬送部１３３ａに連設された被装着部としてのホルダ２１２に対して挿脱自在な嵌合突出部２１０ａが形成されている。この嵌合突出部２１０ａの下面側には、移送スクリュー２１１により移送されてきた現像剤Ｄａを放出する現像剤放出口２１３が形成されている。
　さらに、前記ホルダ２１２は現像剤受取り搬送部１３３ａの上面側に回動自在に取付けられた状態となっているとともにその底面にはスパイラル軸からなる前記現像剤攪拌体１４０、１４０の間に対応して被補給口２１４が形成された状態となっている。
　また、移送スクリュー２１１の一端部には前記ホルダ２１２の端面から突出して駆動装置２１５の駆動カップリング２１６と連結する連結部２１１ａを有した状態となっている。
　前記嵌合突出部２１０ａの下面側には現像剤放出口２１３を開閉すべくスライド自在に蓋体２１７が設けられている。
　一方、ホルダ２１２側には蓋体２１７に形成された係合突起２１７ａと係合する係合部としての凹所２１８が形成されていて、前記ホルダ２１２に対する嵌合突出部２１０ａの挿脱動作時に伴って前述したと同様に前記現像剤放出口２１３を開閉すべく蓋体２１７がスライドするようになっている。
　また、前記駆動装置２１５は第１７図および第１８図に示すように、前記カップリング２１６と一体の歯車２１９と、この歯車２１９と噛合するウォーム歯車２２０と、このウォーム歯車２２０を駆動するモータ２２１を有するとともに第１８図の矢印Ｇ方向にスライド可能な可動ベース２２２に取付けられた状態となっている。
　…
　しかして、前述の現像剤エンプテー検出器１７３からの検出信号によってモータ２２１が所定時間駆動され、移送スクリュー２１１が回転する。
　これにより、容器２１０内の現像剤Ｄａが現像剤放出口２１３に送られ、現像剤受取り搬送部１３２ａの被補給口２１４に送り込まれる。ついで、現像剤受取り搬送部１３２ａの被補給口２１４に送り込まれた現像剤Ｄａはスパイラル軸からなる現像剤攪拌体１４０、１４０によって現像剤収容部１３８に均一に分配される。」
　
（２ｆ）第１１ページ右上欄第１４行から左下欄第６行まで
「また、現像剤Ｄａが無くなった場合など、カートリッジ式の現像剤補給装置１７１を取外す場合には、まず、駆動装置２１５を第１８図の状態において図中右方向に変位させることにより、移送スクリュー２１１の連結部２１１ａとカップリング２１６との係合動作を解除する。ついで、現像剤補給装置１７１の全体をホルダ２１２を中心として手前側に回動変位させた後、手前側に引くことによりホルダ２１２から嵌合突出部２１０ａを引抜くことになる。
　また、新しい現像剤補給装置１７１を取付ける場合には、上記の逆手順で行なえば良いことになる。」
　
３.３.３. 刊行物３
　刊行物３には、以下の（３ａ）の事項が図面とともに記載されている。
　
（３ａ）第２ページ左下欄第１７行から第３ページ右上欄第１４行まで
「トナー補給装置に円筒状トナー容器１をセットする場合には円筒状トナー容器１を…水平に持ち、補給装置の容器ホルダー５に挿入する。…
　…円筒状トナー容器１が駆動モータ８により一回転するときには、…中のトナーはこぼれ出て、容器保持固定器６の下側に設けられたトナー受け１１に落ちる。トナー受け１１の中にはコイル１２があって、駆動モータ８により回転するようになっており、円筒状トナー容器１…から出たトナーはトナー受け１１の中をコイル１２で第２図右方向に送られ、落下口１３から現像器１４内に入る。…
　容器ホルダー５は第３図に示すように、一端が回転軸１６で本体に揺動可能に取付けられ、他端にはカム１７が設けられている。カム１７は本体に取付けられ、ばね１８にて押圧付勢される容器押え１９のカムと係合している。
　いま第２図に示すように、容器ホルダー５がトナー補給状態にある第１一にあるとき、…円筒状トナー容器１を回転可能に保持している。そして容器ホルダー５を図示手前の第２位置に倒すと、…係合が解除される…。容器ホルダー５が第２位置にあるとき、円筒状トナー容器１は着脱自由となる。」
　
３.３.４. 刊行物４
　刊行物４には、以下の（４ａ）〜（４ｄ）の事項が図面とともに記載されている。なお、ページ数は、刊行物４の明細書のページ数を示す。
　
（４ａ）第５ページ第１４行から第６ページ第２行まで
「第１図、第２図は本考案の要部を示すもので、図中１は現像器本体で、この現像器本体１の底部にはこれの一側部に延出された第１の案内筒２が設けてあり、この第１の案内筒２の現像器本体１より突出した部分に開口３が設けてある。そしてこの第１の案内筒２には上記開口３から現像器本体１内へトナーを搬送するオーガにて構成した第１のトナー搬送部材４が配設してある。」
　
（４ｂ）第６ページ第３行から第７ページ第７行まで
「５は上記現像器本体１の外側方で、かつこれの第１の案内筒２の突出部上方に配設されたトナーボックスであり、これの一側部が枠体６に対して枢支軸７でもって枢支されており、上記第１の案内筒２の開口３に対向する位置から側方へ水平方向に回動自在になっている。そしてこのトナーボックス５の底部にはオーガにて構成された第２のトナー搬送部材８が第２の案内筒９に内装して設けてある。この第２の案内筒９の先端部はトナーボックス５内に開口し、また基端部下面に上記現像器本体１の開口３に対応するトナー補給口１０が設けてある。この第２の案内筒９の外側に、トナー補給口１０を開閉する開口１１ａを有する開閉部材１１が摺動自在に、かつばね１２にて閉じ方向に付勢して取付けられている。この開閉部材１１には突起１３を下方に向けて設けてある。
　上記現像器本体１の第１の案内筒２の先端部にはカム面１４ａを有するカム１４が固着してあり、カム面１４が上記突起１３に対応していて、トナーボックス５を現像器本体１の第１の案内筒２側に回動したときに、突起１３がカム面１４に当接して移動し、これにより開閉部材１１がばね１２に抗して開動作するようになっている。」
　
（４ｃ）第８ページ第１行から第１９行まで
「上記構成において、トナーの補給等によりトナーボックス５を現像器本体１から離れる方向に回動すると、開閉部材１１の突起１３がカム面１４からはずれることにより、開閉部材１１はばね１２により閉動作し、トナーボックス５側のトナー補給口１０は開閉部材によって閉じられ、トナーボックス５を開動したときのトナーの落下が防止される。…
　トナーの補給が終了してトナーボックス５を現像器本体１側へ回動すると、開閉部材１１の突起１３がカム面１４ａに当接して開閉部材１１をばね１２に抗して開動作し、回動終端部でトナー補給口１０は現像器本体１側の開口３に対向して開口する。」
　
（４ｄ）第２ページ第１１行から第１３行まで
「上記のようなトナーボックスには、現像装置本体から必要に応じて離隔可能な構成としてスペースの有効作用を図ったものがあり、」
　
　上記（４ａ）〜（４ｃ）の事項並びに第１図および第２図に示された事項を総合すると、刊行物４には、次のような発明が記載されている。
　
「現像器本体１と、
　前記現像器本体１にトナーを供給するために内部にトナーが貯蔵されるトナーボックス５とを有する画像形成装置において、
　前記トナーボックス５は、
　前記トナーボックス５が前記現像器本体１にトナー供給可能状態である位置と、前記トナーボックス５にトナーを補給可能である位置とに、その他端側を中心に回転可能である画像形成装置におけるトナー補給装置」
　
３.３.５. 刊行物５〜８
　刊行物５の明細書第５ページ第１６行から第２０行までには、「トナー補給部１０を形成する蓋体１１を前記トナー補給用ホッパー７の上部開口を覆うように取り付け、かつ、前記トナー補給部１０にトナー補給用のトナーカートリッジＡを挿抜自在に設けてある。」と記載されている。
　刊行物６の第２ページ左上欄第１１行から右上欄第１行までには、「この現像器における上部側には、円筒形空間部が形成されており、ここにトナーカートリッジ３が収納されるようになっている。…このトナーカートリッジ３は、その長手方向に沿って開口３ａが形成されており、開口３ａを下側に位置させることにより、カートリッジ３内のトナーがホッパ内に落下するようになっている。」と記載されている。
　刊行物７の第５ページ右下欄第１０行から第１３行までには、「現像装置２の上記トナー供給部１２は、トナーホッパ２８とこのトナーホッパ２８に着脱自在に装着されるトナーカートリッジ３０とから構成されている」と記載されている。また、第６ページ右上欄第４行から第８行までには、「上記ホッパ容器３２の上部には、上面が開口されたカートリッジ装着部４６が配設されており、上記トナーカートリッジ３０はかかるカートリッジ装着部４６にその開口した上面を通して着脱自在に装着される。」と記載されている。
　刊行物８の第２ページ左上欄第１６行から第１９行までには、「トナーホッパ６に対するトナー補給は、該トナーホッパ６の上部に装着されるトナーカートリッジ８からトナーを落下させることにより行われる。」と記載されている。
　以上のとおり、刊行物５〜８には、現像装置に供給するトナーを貯蔵するトナー貯蔵部を、脱着可能なトナーカートリッジと、その下に配置され、トナーカートリッジが着脱可能に装着される部分とから構成し、トナーカートリッジを交換することによってトナー貯蔵部へのトナー補給を行うことが記載されている。
　
３.３.６. 刊行物９
　刊行物９の明細書第３ページ第２０行から第４ページ第１８行までには、「上記現像器２は、トナーａとキャリアｂとからなる現像剤ｃを収容する容器５を有しており、…上記容器５の一端側…には上記現像剤補給装置４から補給されるトナーａを受入れる受入口８を上部に有する受入部９が突出して形成されている。そして、この受入部９の受入口８から受入れられたトナーａは攪拌スクリュー１０によって容器５内の他端側方向へ搬送されつつ攪拌され、…現像用マグネットローラ７に供給されるようになっている。」と記載されている。このことから、現像剤は、現像器２に設けられた攪拌スクリュー１０により搬送されながら攪拌されることが分かる。
　
３.４. 対比・判断（１）−取消理由１について
３.４.１. 本件発明１について
３.４.１.１. 対比
　本件発明１と刊行物１に記載された発明とを比較すると、刊行物１に記載された発明の「乾式現像ユニット２」、「トナーカートリッジ６」、「カートリッジ保持用腕４７」、「乾式複写機」および「トナー補給装置」は、それぞれ、本件発明１の「現像装置」、「トナーカートリッジ」、「トナーカートリッジ設置部」、「画像形成装置」および「トナー供給装置」に相当する。
　そうすると、本件発明１と刊行物１に記載された発明とは、表現が相違するものの、
　
「現像装置と、
　前記現像装置にトナーを供給するために内部にトナーが貯蔵される脱着可能なトナーカートリッジと、
　前記トナーカートリッジが着脱可能に装着されるトナーカートリッジ設置部とを有する画像形成装置において、
　前記トナーカートリッジ設置部は、
　前記トナーカートリッジが画像形成装置本体内で保持され、かつ前記現像装置に対しトナー供給可能状態である位置と、前記トナーカートリッジを前記トナーカートリッジ設置部に対して交換可能である位置とに、その他端側を中心に回転可能であることを特徴とする画像形成装置におけるトナー供給装置」
　
である点で一致し、次の点で相違している。
　
（相違点１）
　トナーカートリッジ設置部が、本件発明１では、トナー供給可能な位置からトナーカートリッジ交換可能な位置への移動に際して、扉を手前に開くように水平面内で回転し、トナーカートリッジ設置部の一端側が画像形成装置本体から外に飛び出すのに対し、引用発明１では、トナー供給可能な位置からトナーカートリッジ交換可能な位置への移動に際して、振り子が振れるように鉛直面内で回転し、トナーカートリッジ設置部の一端部が常に画像形成装置本体の内部にある点。
　
３.４.１.２. 相違点の検討
　以下、相違点１について検討する。
　まず、刊行物２には、「各現像ユニット１３２、１３３には、第１７図に示すようにフロントカバー１７０を開けることにより露出する状態に現像剤受取り搬送部１３２ａ、１３３ａが突出しており、これら現像剤受取り搬送部１３２ａ、１３３ａに…カートリッジ式の現像剤補給装置１７１、１７２が着脱可能に装着されている。」（上記（２ａ）参照。）と記載されている。この記載と第１７図に示された事項とを併せて参照すると、刊行物２に記載された複写装置では、複写装置本体４のフロントカバー１７０を開けると、カートリッジ式の現像剤補給装置１７１、１７２が露出することが分かる。
　次に、刊行物２には、「現像剤補給装置１７２は、第１８図〜第２０図に示すように構成されている。…１７５は現像剤Ｄａを収納する容器であり、…この容器１７５の…一側端側の下部には現像剤受取り搬送部１３３ａに連設された被装着部としてのホルダ１７７に対して挿脱自在な嵌合突出部１７５ａが形成されている。」（上記（２ｃ）参照）および「現像剤補給装置１７１は、第１８図および第１９図に示すように…現像剤補給装置１７２と略同じ構成となっている。…２１０は現像剤Ｄａを収納する容器であり、…この容器２１０の…一側端側の下部には現像剤受取り搬送部１３３ａに連設された被装着部としてのホルダ２１２に対して挿脱自在な嵌合突出部２１０ａが形成されている。」（上記（２ｅ）参照。）と記載されている。これらの記載と第１８図から第２０図までに示された事項とを併せて参照すると、刊行物２に記載された複写装置では、カートリッジ式の現像補給装置１７１、１７２が、ホルダ１７７、２１２に着脱可能に取り付けられることが分かる。そして、このホルダ１７７、２１２は、刊行物２に「ホルダ１７７は現像剤受取り搬送部１３３ａの上面側に回動自在に取付けられた状態となっている」（上記（２ｃ）参照。）および「ホルダ２１２は現像剤受取り搬送部１３３ａの上面側に回動自在に取付けられた状態となっている」（上記（２ｅ）参照。）と明記されているとおり、回動自在である。
　刊行物２には、さらに、「現像剤Ｄｂが無くなった場合など、カートリッジ式の現像剤補給装置１７２を取外す場合には、…現像剤補給装置１７２の全体をホルダ１７７を中心として手前側に回動変位させた後、手前側に引くことによりホルダ１７７から嵌合突出部１７５ａを引抜く…新しい現像剤補給装置１７２を取付ける場合には、上記の逆手順で行なえば良い」（上記（２ｄ）参照。）および「現像剤Ｄａが無くなった場合など、カートリッジ式の現像剤補給装置１７１を取外す場合には、…現像剤補給装置１７１の全体をホルダ２１２を中心として手前側に回動変位させた後、手前側に引くことによりホルダ２１２から嵌合突出部２１０ａを引抜く…新しい現像剤補給装置１７１を取付ける場合には、上記の逆手順で行なえば良い」（上記（２ｆ）参照。）と記載されている。
　これらの記載を総合すると、刊行物２には、現像剤補給装置（本件発明１の「トナーカートリッジ」に相当する。）をホルダ（同じく「トナーカートリッジ設置部」に相当する。）に着脱する際、複写装置本体の内部でトナー供給可能な状態にある現像剤補給装置の全体を、ホルダを中心にして、扉を手前に開くように水平面内で回動変位させ、現像剤補給装置を交換可能な位置に移動させることが記載されている。そして、ホルダが現像剤受取り搬送部の上面側に回動自在に取り付けられていると記載されていること、および、回動変位の際は、ホルダと現像剤補給装置とが互いに結合していることから、ホルダ自体も、現像剤補給装置と一緒に（すなわち、扉を手前に開くように水平面内で）回動変位することが分かる。また、現像剤補給装置は、複写機本体（本件発明の「画像形成装置本体」に相当する。）のフロントカバーを開けたときに露出する位置に装着されており、上記回動変位の方向は、複写装置本体の前面から見て手前側であるから、現像剤補給装置の着脱のために現像剤補給装置およびホルダを回動変位させたとき、現像剤補給装置およびホルダは、複写装置本体の前面から手前側に向かって突き出る方向を向くことになる。すると、現像剤補給装置およびホルダは、複写装置本体から外に飛び出すことになる。以上のことから、相違点１は刊行物２に記載されている。
　刊行物１に記載された発明と刊行物２に記載された事項とは、画像形成装置のトナー供給装置に関するものであるという点で共通しているから、刊行物２に記載された事項を刊行物１に記載された発明に適用し、本件発明１の相違点１の構成を得ることは、当業者が容易に行い得ることである。
　
３.４.１.３. 特許権者の主張について
　特許権者は、意見書の「５　意見の内容　（３）理由１に対する反論　３−１）刊行物２の認定について」の項で、刊行物２に記載された複写装置の「ホルダは現像剤受取り搬送部に固定されているものである」と主張し、したがって、「ホルダは、…現像剤補給装置と共に回動変位されないので、ホルダが複写機本体の前面から手前側に向かって突き出る方向を向くようなことはない。また、現像剤補給装置は、上端側（ホルダの反対側）が…手前に向かって回動変位するが、現像装置補給装置が複写機本体から外に飛び出す点については記載がない。」と主張しているので、検討する。
　特許権者は、上記主張の根拠として刊行物２の第２０図を示し、「ホルダ１７７は、現像剤受取り搬送部１３３ａに対してはボルトを介して固定されており、現像剤補給装置１７５を取り外した状態を示す第２０図（ａ）と取り付けた状態を示す第２０図（ｂ）とでは、ホルダ１７７と現像剤受取り搬送部１３３ａとの位置関係は全く同じである。刊行物２においては、現像剤補給装置は、ホルダを中心に回動してホルダからはずすことができれば事足り、ホルダと共に回動するなどということは考えられない。」と述べている。
　しかし、第２０図（ａ）および（ｂ）の中で、ホルダ１７７の左端部に、当該ホルダ１７７を上下に貫通するように設けられているものが、ホルダ１７７を現像剤受取り搬送部１３３ａに固定するボルトであることを示唆する記載は、刊行物２の記載のどこにも見当たらない。そして、刊行物２に「ホルダ１７７は現像剤受取り搬送部１３３ａの上面側に回動自在に取付けられた状態となっている」（上記（２ｃ）参照。）と明記されていることからすれば、特許権者がボルトと主張するものは、むしろ、ホルダ１７７を現像剤受取り搬送部１３３ａに回動自在に取り付けるためのピンと解する方が自然である。
　また、特許権者が主張するように、現像剤補給装置１７２の「上端側（ホルダの反対側）が…手前に向かって回動変位する」という動作、言い換えれば、ホルダ１７７は固定されたままで、現像剤補給装置１７２だけが手前に倒れ込んでくるような動作をするのだとすると、現像剤補給装置１７２の嵌合突出部１７５ａおよびホルダ１７７の構造からみて、嵌合突出部１７５ａをホルダ１７７から引き抜くためには、現像剤補給装置１７２全体を第１８図の中で右方向に移動させざるを得ない。しかし、これは、刊行物２の「現像剤補給装置１７２の全体を…手前側に引くことによりホルダ１７７から嵌合突出部１７５ａを引抜くことになる。」という記載（上記（２ｄ）参照。）との間に、新たな矛盾を生ずることになる。
　そうすると、現像剤補給装置１７２は、回動自在に取付けられたホルダ１７７とともに、ピンを軸にして扉が手前に開くような動作をするものと解するのが妥当である。
　仮に、特許権者が意見書で主張するように、「ホルダ１７７は現像剤受取り搬送部１３３ａの上面側に回動自在に取付けられた状態となっている」という「記載は誤りであり、刊行物２の出願人の過誤であるか、あるいはホルダを現像剤受取り搬送部にボルト締めする前の状態を言っている」としても、トナー容器を、その一端に設けた垂直方向に伸びる軸を中心に回転できるように構成し、トナー補給の際には、そのトナー容器を、あたかも扉を開くように手前に回転させることは、例えば刊行物４や
　
　周知例１：特開昭６１−１１６３７２号公報（特に第６図参照。）
　
に記載されているように、本件特許の出願の前に周知であるから、当業者が刊行物２の記載を見れば、現像剤補給装置１７２とホルダ１７７の両方が、複写装置本体の前面から手前側に向かって突き出る方向に向きを変えると解するものと認められる。
　以上のとおりであるから、特許権者の主張は、認めることができない。
　
３.４.２. 本件発明２について
　本件発明２と刊行物１に記載された発明とを比較すると、両者は、相違点１に加え、次の点で相違している。
　
（相違点２）
　現像装置に対しトナー供給可能状態である位置が、本件発明２では、画像形成装置本体のコンソールパネルの下部に設定されているのに対し、刊行物１に記載された発明は、そのような構成を備えていない点。
　
　既に述べたとおり、相違点１は、刊行物２の記載に基づき、当業者が容易に想到し得る事項である。
　そこで、相違点２について検討する。
　刊行物２には、「複写装置本体４の上面には…原稿載置部としての原稿載置ガラス５が設けられているとともに上面前端縁部には第４図において後述する操作盤６が設けられている。」（上記（２ａ）参照。）と記載され、また、「各現像ユニット１３２、１３３には、第１７図に示すようにフロントカバー１７０を開けることにより露出する状態に現像剤受取り搬送部１３２ａ、１３３ａが突出しており、これら現像剤受取り搬送部１３２ａ、１３３ａに…カートリッジ式の現像剤補給装置１７１、１７２が着脱可能に装着されている。」（上記（２ｂ）参照。）と記載されている。これらの事項および第１７図に示された事項を総合すると、刊行物２に記載された複写装置では、カートリッジ式の現像剤補給装置１７１、１７２が複写装置本体４の操作盤６の下部に設けられ、その状態で複写が行われることが分かる。
　すなわち、刊行物２には、カートリッジ式の現像剤補給装置が、現像装置に対しトナー供給可能状態であるとき、複写装置本体の操作盤の下部に位置していることが記載されているから、相違点２も、刊行物２に記載されている。
　刊行物２に記載された事項を刊行物１に記載された発明に適用し、本件発明２の相違点２の構成を得ることは、当業者が容易に行い得ることである。
　
３.４.３. 本件発明４について
　本件発明４と刊行物１に記載された発明とを比較すると、両者は、相違点１および２に加えて、次の点で相違している。
　
（相違点３）
　本件発明４では、トナーカートリッジの下にトナーを収容するトナー収容部が配置され、このトナー収容部の下に現像装置の攪拌手段が配置されているのに対し、刊行物１に記載された発明では、このような配置関係が規定されていない点。
　
（相違点４）
　トナー収容部が、本件発明４では、トナーを循環して搬送する複数のアジテータを有するのに対し、刊行物１に記載された発明は、このような構成を備えていない点。
　
　既に述べたとおり、相違点１および２は、刊行物２の記載に基づき、当業者が容易に想到し得ることである。
　そこで、相違点３について検討する。
　刊行物１（上記（１ｅ）参照。）には、トナーカートリッジ６の斜め下にトナー容器３（本件発明４の「トナー収容部」に相当する。）を配置し、このトナー容器３の斜め下に乾式現像ユニット２（同じく「現像装置」に相当する。）の羽根車２２を配置することが記載されている。この羽根車２２が攪拌手段であることは、技術常識から見て明らかであるから、結局のところ、刊行物１には、トナーカートリッジの斜め下にトナー収容部を配置し、このトナー収容部の斜め下に現像装置の攪拌手段を配置することが記載されている。
　一方、刊行物３には、「円筒状トナー容器１が…一回転するときには、…中のトナーはこぼれ出て、容器保持固定器６の下側に設けられたトナー受け１１に落ちる。トナー受け１１の中にはコイル１２があって、…円筒状トナー容器１…から出たトナーはトナー受け１１の中をコイル１２で第２図右方向に送られ、落下口１３から現像器１４内に入る。」（上記（３ａ）参照。）という記載から分かるとおり、円筒状トナー容器の下にトナー受けを配置し、このトナー受けの下に現像器を配置した静電転写式複写機が記載されている。
　そうすると、刊行物１に記載された発明において、トナーカートリッジ、トナー収容部および現像装置の攪拌手段を、順次斜め下に配置することは、刊行物１の記載から自明であって、その際、配置する方向を「斜め下」から「下」に変えることは、刊行物３の記載に基づき、当業者が適宜変更し得る設計事項にすぎない。
　次に、相違点４について検討すると、現像装置の上部に設けられ、この現像装置にトナーを供給するトナー収容部に、複数のアジテータを設けることは、例えば
　
　　周知例２：特開昭６０−２２２８７８号公報、
　　周知例３：実願昭６２−４５９６５号（実開昭６３−１５０９６２号）
　　　　　　　のマイクロフィルム、および、
　　周知例４：実願昭６２−１３１６５９号（実開昭６４−３６８５３号）
　　　　　　　のマイクロフィルム
　
に記載されているように、本件特許の出願前に周知であり、刊行物１に記載された発明において、トナー収容部（トナー容器３）の内部に設けられたアジテータ３２を複数にし、相違点４の構成を備えるようにする程度のことは、当業者が適宜変更し得る設計事項にすぎない。
　
３.４.４. まとめ
　以上のとおりであるから、本件発明１、２および４は、刊行物１〜３に記載された発明および周知技術に基づき、当業者が容易に発明をすることができたものである。したがって、特許法第２９条第２項の規定により、特許を受けることができない。
　
３.５. 対比・判断（２）−取消理由２について
３.５.１. 本件発明１について
３.５.１.１. 対比
　本件発明１と刊行物４に記載された発明とを比較すると、刊行物４に記載された発明の「現像器本体１」は、本件発明１の「現像装置」に相当する。また、刊行物４に記載された発明の「トナーボックス５」と本件発明１の「トナーカートリッジ」および「トナーカートリッジ載置部」とは、現像装置にトナーを供給するために、内部にトナーを貯蔵するトナー貯蔵部である点で一致する。
　刊行物４には、トナーボックス５が現像器本体１にトナー供給可能状態である位置にあるとき、トナーボックス５が画像形成装置に対してどのような位置に保持されているか記載されていない。しかし、トナーボックス５は現像器本体１と連携して動作する部材であること、および、現像器本体１は画像形成装置の内部に設置されるのが常であることから、常識的に考えて、トナーボックス５も、画像形成装置の動作時には、その内部に保持されているとみるのが妥当である。
　そうすると、本件発明１と刊行物４に記載された発明とは、表現が相違するものの、
　
「現像装置と、
　前記現像装置にトナーを供給するために内部にトナーが貯蔵されるトナー貯蔵部とを有する画像形成装置において、
　前記トナー貯蔵部は、
　前記トナー貯蔵部が画像形成装置本体内で保持され、かつ前記現像装置にトナー供給可能状態である位置と、前記トナー貯蔵部にトナーを補給可能である位置とに、その他端側を中心に回転可能である画像形成装置におけるトナー供給装置」
　
である点で一致し、次の点で一応相違している。
　
（相違点５）
　トナー貯蔵部が、本件発明１では、脱着可能なトナーカートリッジと、このトナーカートリッジが着脱可能に装着されるトナーカートリッジ設置部とから構成され、トナーカートリッジの交換によってトナー貯蔵部へのトナー補給を行うのに対し、刊行物４に記載された発明では、一体のトナーボックスとして構成され、トナー貯蔵部にトナーを補給する際には、このトナーボックスに直接トナーを補給する点。
　
（相違点６）
　トナー貯蔵部が、当該トナー貯蔵部にトナーを補給可能である位置にあるとき、本件発明１では、その一端側が画像形成装置本体から外に飛び出しているのに対し、刊行物４に記載された発明は、そのような構成を備えていない点。
　
３.５.１.２. 相違点の検討
　まず、相違点５について検討すると、トナー貯蔵部を、脱着可能なトナーカートリッジと、このトナーカートリッジが着脱可能に装着される部分とから構成し、トナーカートリッジを交換することによってトナー貯蔵部へのトナー補給を行うことは、例えば刊行物５〜８に記載されているように、本件特許の出願前に周知の技術である。この周知の技術を刊行物４に記載された発明に適用し、本件発明１の相違点５の構成を得ることには、何の困難も認められない。
　次に、相違点６について検討すると、画像形成装置のトナー貯蔵部にトナーを補給する際、トナー貯蔵部の位置を変えて、画像形成装置本体から外に飛び出すようにすることは、例えば刊行物２、刊行物９および周知例１に記載されているように、本件特許の出願前に周知の技術である。この周知の技術を刊行物４に記載された発明に適用し、本件発明１の相違点６の構成を得る程度のことは、当業者が適宜変更し得る設計事項にすぎない。
　
３.５.２. 本件発明２について
　本件発明２と刊行物４に記載された発明とを比較すると、両者は、相違点５および６に加え、相違点２で相違している。
　相違点５および６が周知技術の単なる適用にすぎないことは、既に述べたとおりである。そして、相違点２の構成を得ることは、「３．４．２．本件発明２について」で述べたとおり、刊行物２の記載に基づいて当業者が容易に行い得ることである。
　
３.５.３. 本件発明３について
　本件発明３と刊行物４に記載された発明とを比較すると、両者は、相違点５、６および２に加えて、次の点で相違している。
　
（相違点７）
　トナーカートリッジをトナーカートリッジ設置部に対して交換可能である位置で、現像装置にトナーを供給するトナーカートリッジ設置部からのトナー供給孔が、本件発明３ではシャッタにより閉じた状態に設定されるのに対し、刊行物４に記載された発明は、そのような構成を備えていない点。
　
　相違点５、６および２については、既に述べたとおりであるので、相違点７について検討する。
　刊行物４（上記（４ｃ）参照。）には、トナーボックス５が現像器本体１にトナーを補給可能である位置では、現像器本体１にトナーを供給するトナーボックス５のトナー補給口１０が、開閉部材１１によって閉じられることが記載されている。そうすると、刊行物４に記載された発明において、相違点７の構成を備えるようにすることは、刊行物４の記載から自明である。
　
３.５.４. 本件発明４について
　本件発明４と刊行物４に記載された発明とを比較すると、両者は、相違点５、６、２および７に加えて、次の点で相違している。
　
（相違点８）
　本件発明４では、トナーカートリッジの下にトナーを収容するトナー収容部が配置され、このトナー収容部の下に現像装置の攪拌手段が配置されているのに対し、刊行物４に記載された発明では、トナーボックスの下に現像器本体のトナー搬送部材が配置されている点。
　
（相違点９）
　トナー収容部が、本件発明４では、トナーを循環して搬送する複数のアジテータを有するのに対し、刊行物４に記載された発明は、このような構成を備えていない点。
　
　相違点５、６、２および７については、既に述べたとおりである。
　そこで、相違点８について検討する。
　画像形成装置の現像装置に設けられるトナー搬送手段は、例えば刊行物９に記載されているように、一般にトナー攪拌手段としての機能も有しているから、刊行物４に記載された発明の現像器本体１に設けられたトナー搬送部材４は、攪拌手段と見ることができる。
　一方、トナー貯蔵部を、脱着可能なトナーカートリッジと、このトナーカートリッジが着脱可能に装着される部分とから構成することは、「３．５．１．２．相違点の検討」の相違点５に関する部分で述べたとおり、本件特許の出願前に周知の技術である（例えば、刊行物５〜８参照）。この周知の技術を刊行物４に記載された発明に適用すると、必然的に、トナーカートリッジの下にトナー収容部が配置されることになり、そのトナー収容部の下に現像器本体１のトナー搬送部材４が配置されることになる。しかし、既に述べたとおり、このトナー搬送部材４はトナー攪拌手段と見ることができるから、相違点８の構成は、上記周知の技術を刊行物４に記載された発明に適用することにより、必然的に得られる構成にすぎない。
　次に、相違点９について検討する。
　刊行物４に記載された発明に、例えば刊行物５〜８に記載されている周知技術を適用すると、必然的に、トナーカートリッジの下、現像器の上にトナー収容部が配置される形になることは、既に述べたとおりである。そして、このようなトナー収容部に複数のアジテータを設けることは、例えば周知例２〜４に記載されているように、本件特許の出願前に周知の技術であるから、この周知の技術をさらに適用して相違点９の構成を得る程度のことは、当業者が適宜変更し得る設計事項にすぎない。
　
３.５.５. まとめ
　以上のとおりであるから、本件発明１〜４は、刊行物２、４〜９に記載された発明および周知技術に基づき、当業者が容易に発明をすることができたものである。したがって、特許法第２９条第２項の規定により、特許を受けることができない。
　
３.６. むすび
　本件発明１〜４は、特許法第２９条第２項の規定により、特許を受けることができない。
　したがって、本件発明１〜４についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１２月１１日（２００１．１２．１１）
【訂正の要旨】
　特許第３０９９８２１号発明の明細書を以下のように訂正する。
１．発明の名称に「画像形成装置におけるトナー供給装置」とあるのを、誤記の訂正を目的として「画像形成装置」と訂正する。
２．特許請求の範囲の請求項１に
　「現像装置と、
　前記現像装置にトナーを供給するために内部にトナーが貯蔵される脱着可能なトナーカートリッジと、
　前記トナーカートリッジが着脱可能に装着されるトナーカートリッジ設置部とを有する画像形成装置において、
　前記トナーカートリッジ設置部は、
　前記トナーカートリッジが画像形成装置本体内で保持され、かつ前記現像装置に対しトナー供給可能状態である位置と、一端側が前記画像形成装置本体から飛び出し、前記トナーカートリッジを前記トナーカートリッジ設置部に対して交換可能である位置とに、その他端側を中心に回転可能であることを特徴とする画像形成装置におけるトナー供給装置。」
　とあるのを、特許請求の範囲の減縮を目的として
　「現像装置と、
　前記現像装置にトナーを供給するために内部にトナーが貯蔵される脱着可能なトナーカートリッジと、
　前記トナーカートリッジが着脱可能に装着されるトナーカートリッジ設置部とを有する画像形成装置において、
　前記トナーカートリッジ設置部は、
　前記トナーカートリッジが画像形成装置本体内で保持され、かつ前記現像装置に対しトナー供給可能状態である位置と、一端側が前記画像形成装置本体から
外に
　と訂正する。
３．特許請求の範囲の請求項４に
　「前記トナーカートリッジの下にトナーを収容するトナー収容部が配置され、このトナー収容部の下に前記現像装置の撹拌手段が配置されていることを特徴とする請求項１ないし３のいずれか１記載の画像形成装置におけるトナー供給装置。」
　とあるのを、特許請求の範囲の減縮を目的として
　「前記トナーカートリッジの下にトナーを収容するトナー収容部が配置され、
このトナー収容部は、トナーを循環して搬送する複数のアジテータを有し、
　と訂正する。
４．発明の詳細な説明の段落【００４８】（特許公報の第７ページ左欄第８行から第１６行まで）に
　「【発明の効果】以上の説明から明らかなように、本発明によれば、トナーカートリッジがトナー供給可能状態である位置に設定されたときは、トナーカートリッジが画像形成装置本体内に収容され、また、トナーカートリッジが交換可能である位置に設定されたときは、トナーカートリッジの少なくとも一部を画像形成装置本体から飛び出すようにしているので、ユーザでもトナーカートリッジを簡単に交換できるようになり、トナー補給の作業性が向上する。」
　とあるのを、明瞭でない記載の釈明を目的として
　「【発明の効果】以上の説明から明らかなように、本発明によれば、トナーカートリッジがトナー供給可能状態である位置に設定されたときは、トナーカートリッジが画像形成装置本体内に収容され、また、トナーカートリッジが交換可能である位置に設定されたときは、トナーカートリッジ
設置部
外に
　と訂正する。
（５４）【発明の名称】
画像形成装置
（５７）【特許請求の範囲】
　【請求項１】　現像装置と、
前記現像装置にトナーを供給するために内部にトナーが貯蔵される脱着可能なトナーカートリッジと、
前記トナーカートリッジが着脱可能に装着されるトナーカートリッジ設置部とを有する画像形成装置において、
前記トナーカートリッジ設置部は、
前記トナーカートリッジが画像形成装置本体内で保持され、かつ前記現像装置に対しトナー供給可能状態である位置と、一端側が前記画像形成装置本体から
外に
　【請求項２】　前記現像装置に対しトナー供給可能状態である位置は、前記画像形成装置本体のコンソールパネルの下部に設定されていることを特徴とする請求項１記載の画像形成装置におけるトナー供給装置。
　【請求項３】　前記トナーカートリッジを前記トナーカートリッジ設置部に対して交換可能である位置では、前記現像装置にトナーを供給する前記トナーカートリッジ設置部からのトナー供給孔がシャッタにより閉じた状態に設定されることを特徴とする請求項１または２記載の画像形成装置におけるトナー供給装置。
　【請求項４】　前記トナーカートリッジの下にトナーを収容するトナー収容部が配置され、
このトナー収容部は、トナーを循環して搬送する複数のアジテータを有し、
【発明の詳細な説明】
　【０００１】
　【発明の属する技術分野】本発明は、画像形成装置の現像装置にトナーを供給するためのトナー供給装置の技術分野に属するものである。
　【０００２】
　【従来の技術】複写機においては、原稿の画像が光電変換装置によって読み取られた後、読み取られた画像が潜像担持体上に静電画像として形成され、この静電画像が現像装置によって可視像化されるようになっている。その場合、現像装置が可視像化するために、一般にトナーが用いられている。
　【０００３】従来、このトナーを現像装置に供給するためのトナー供給装置としては、複写機本体にトナーボックスが設けられ、このトナーボックスから現像装置にオーガ等によって搬送供給するようになっている。そして、トナーボックスにトナーがなくなると、トナーボックスをトナー補給位置に引き出して、予備のトナーボトルに充填されているトナーをトナーボックスに補給するようにしている。
　【０００４】このトナー補給にあたっては、複写機の機種によってトナーの種類が異なるので、ユーザが行うことは難しく、トナーの誤補給を防止するために、通常はサービスマンが行っている。
　【０００５】
　【発明が解決しようとする課題】しかしながら、このようにトナー補給をサービスマンが行うようにしたのでは、ユーザはトナーがなくなる度にサービスマンに連絡しなければならなく、きわめて煩わしい。しかも、サービスマン等の都合により連絡してもすぐにトナーが補給されるとは限らなく、時間がかかるばかりでなく、その間ほとんどコピーをすることができなくなり、効率よくコピーをすることができない。また、トナー補給の際にトナーが床にこぼれてしまったり、衣服等が汚れてしまったりするという問題がある。
　【０００６】この問題に対処するために、トナーボトルに代えてトナーが充填されているトナーカートリッジを用い、トナー補給時にこのトナーカートリッジをトナーボックスに装着した後、トナーカートリッジのキャップを外すことによりトナー補給を行うと共に、補給が終了するとトナーカートリッジを取り去るようにしたものが提案されている。このトナーカートリッジを用いたトナー補給方法によれば、トナーがこぼれたり、こぼれたトナーにより衣服等が汚れることもない。
　【０００７】しかしながら、このカートリッジによるトナー供給方法では、カートリッジの装着動作、トナー補給動作及びカートリッジの取外し動作の三つの動作を行わなければならなく、操作が面倒である。しかも、この補給方法でもサービスマンが補給作業を行わなければならないので、やはり前述のような問題が依然として解決されない。このように、従来のいずれのトナー補給方法でも、トナー補給の作業性が良いものではなかった。
　【０００８】本発明は、このような問題に鑑みてなされたものであって、その目的は、トナーの補給性をユーザでも簡単に行うことができるようにして作業性を向上することのできる画像形成装置におけるトナー供給装置を提供することである。
　【０００９】
　【課題を解決するための手段および作用】前述の課題を解決するために、本発明の画像形成装置におけるトナー供給装置は、トナーカートリッジがトナー供給可能状態である位置とトナーカートリッジが交換可能である位置との間で、トナーカートリッジを保持するトナーカートリッジ設置部がトナーカートリッジの他端側を中心に回転可能になっている。その場合、トナーカートリッジがトナー供給可能状態である位置に設定されたときは、トナーカートリッジは画像形成装置本体内に収容されるが、トナーカートリッジがトナーカートリッジが交換可能である位置に設定されたときは、トナーカートリッジはその少なくとも一部が画像形成装置本体から飛び出し、交換可能となる。
　【００１０】このようにトナーカートリッジが交換可能である位置では、トナーカートリッジの一部が画像形成装置本体から突出するようにしているので、ユーザでもトナーカートリッジの交換が簡単に行われるようになり、トナー補給の作業性が向上する。
　【００１１】
　【発明の実施の形態】以下、図面を用いて本発明の実施の形態について説明する。図１は本発明の実施の形態の一例が適用されるカラー複写機の一例を示す斜視図、図２はそのカラー複写機の概略断面図である。
　【００１２】図１及び図２に示すように、カラー複写機１は、本体２と、この本体２の上面側に設けられ、図示しない原稿が載置されるプラテン３と、このプラテン３の下方に設けられ、原稿の画像情報を読み取る画像情報読取部４と、この画像情報読取部４からの信号を受けて所定の画像を形成する画像形成装置５と、この画像形成装置５に形成された画像を転写媒体である用紙６に転写する転写部７と、用紙６を供給及び搬送する用紙供給部８及び用紙搬送部９とから構成されている。
　【００１３】前記用紙供給部８は、サイズに応じた用紙６をそれぞれ収容する３つの用紙トレイ８１，８２，８３、大容量トレイ８４、両面トレイ８５及び手差しトレイ８６により構成されている。また、用紙搬送部９は、用紙反転シュート９１、各トレイ８１〜８６から送り出される用紙６を画像形成装置５へ搬送する第１用紙搬送路９２及び複写済みの用紙６を再度画像形成装置５へ搬送する第２用紙搬送路９３とにより構成されている。
　【００１４】また、画像形成装置５によりトナーのトナー像が転写された用紙６は、排出側搬送路９４を通って定着器１０へ送られ、定着器１０の加圧ロール１０１及び加熱ロール１０２によりトナー像の定着が行われた後、排出トレイ８７へ搬送されるようになっている。
　【００１５】図３に示すように、画像形成装置５は、感光ドラム５１と、この感光ドラム５１の外周に沿って順次配設される帯電器５２、第１潜像形成手段５３、第１現像手段５４、第２潜像形成手段５５、第２現像手段５６及び転写前帯電器５７とから構成されている。前記感光ドラム５１に形成された顕画像が転写部７において用紙６に転写されるようになっている。
　【００１６】このように構成された画像形成装置５においては、カラー画像を記録するにあたり、本体２のコンソールパネル２１のモードをカラーモードに切換操作すると、図４（ａ）に示すように帯電器５２により感光ドラム５１上が一様に帯電されて感光ドラム５１の表面電位が一方の極性に帯電された状態となる。この状態において、同図（ｂ）に示すように第１潜像形成手段５３により感光ドラム５１上に第１潜像が形成された後、同図（ｃ）に示すように第１現像手段５４に所定の現像バイアス電圧が印加されることにより、第１トナー像が反転現象により形成される。次に、同図（ｄ）に示すように第２潜像形成手段５５により感光ドラム５１上に第２潜像が形成され、第２現像手段５６に所定の現像バイアス電圧が印加されることにより、同図（ｅ）に示すように感光ドラム５１上にトナー像が正規現像により形成される。そして、同図（ｆ）に示すように転写前帯電器５７により両トナー像の極性が揃えられた後、転写部７により用紙６上に両トナー像が一括転写されることにより、カラー画像の記録が行われるようになっている。
　【００１７】この場合、前記第１及び第２潜像形成手段５３，５５は、レーザーダイオードにより形成されており、画像情報読取部４からの信号を受けて所定の潜像を感光ドラム５１上に書き込むようになっている。なお、第１潜像形成手段５３は画像部を書き込む方式となっており、また第２潜像形成手段５５は背景部を書き込む方式となっている。しかし、これら第１及び第２潜像形成手段５３，５５は必ずしもこれらの方式である必要はなく、逆に第１潜像形成手段５３が背景部を書き込む方式であり、第２潜像形成手段５５が画像部を書き込む方式であってもよく、また両潜像形成手段５３，５５は共画像部あるいは背景部を書き込む方式であってもよい。
　【００１８】第１現像手段５４は、カラー（赤）用の二成分系トナーを有するもので、感光ドラム５１側に配設された現像ロール５４１と、この現像ロール５４１の背面側において仕切り５４２を介して併設される第１オーガ５４３ａ及び第２オーガ５４３ｂと、これらオーガ５４３ａ，５４３ｂの上方側において受板５４４を介して設けられる第３オーガ５４３ｃと、ハウジング５４ａの開口部の上流側に装着されて感光ドラム５１に接触するフィルム上のシール部材５４５と、現像ロール５４１により搬送されるトナーを掻き取るブレード５４６と、ハウジング５４ａの背面側に取り付けられるトナーボックス５４７内に配設されるトナー搬送用コイルオーガ５４７ａ及びトナー搬送用オーガ５４７ｂとにより構成されている。この場合、前記現像ロール５４１は、例えばアルミニウム合金やステンレス鋼等の非磁性導電性部材により形成されている。
　【００１９】前記第２現像手段５６は、黒の二成分系トナーを有する現像器であり、ＦＸマイクロトーニング方式の磁気ブラシ現像法により第２の潜像を現像する。これらの両現像手段５４，５６は、それぞれに対応して配設されたリトラクト機構５８により、感光ドラム５１に対して接離する方向に移動されるようになっている。これらのリトラクト機構５８は図示しない駆動源により作動されるようになっている。
　【００２０】次に、この例のトナー供給装置が配設される第２現像手段５６について更に詳述する。図５に示すように、第２現像手段５６はＦＸマイクロトーニング方式の磁気ブラシ現像法により感光ドラム５１上に形成された第２潜像を現像するものであり、大きくは、ハウジング１００１内の一端に配設された開口部から外周面の一部をハウジング１００１外に露出させた現像ロール１００２（トナー担持体）と、現像ロール１００２の背面側のハウジング１００１内に配設されたトナー撹拌手段１００３と、現像ロール１００２の上方のハウジング１００１天板に取り付けられ、現像ロール１００２上に形成されたトナーの磁気ブラシの穂立高さを規制するトリマープレート１００４（トリマー）とから構成されている。また、その他に、ＦＸマイクロトーニング方式を実施するにあたって必要とされる各種補機類が取り付けられている。
　【００２１】まず、現像ロール１００２は、固定支持されたほぼ円柱形状のマグネット部材１００５の外周に回動可能な円筒状スリーブ１００６を配設したものであり、マグネット部材１００５の磁力によりスリーブ１００６上にトナーの磁気ブラシが形成されると共に、スリーブ１００６の回動に伴い磁気ブラシを感光ドラム５１に面した現像領域へ搬送するという点では通常の磁気ブラシ現像法と同様である。マグネット部材１００５には、剥離極Ｎ１、吸着極Ｎ２、搬送極Ｓ３，Ｎ３及び現像主極Ｓ１，Ｓ２等の複数の磁極が反時計回りにこれらの順に設けられており、これらはフェライト製マグネットロールに着磁法により着磁されている。そして、このような磁極配置を有するこの例の現像ロール１００２においては、異なる磁性の磁極が交互に連続する吸着極Ｎ２→搬送極Ｓ３→搬送極Ｎ３→現像主極Ｓ１，Ｓ２→吸着極Ｎ１の間でトナーがスリーブ１００６表面に保持される一方、同磁性の磁極が隣接配置された剥離極Ｎ１→吸着極Ｎ２の間ではトナーがスリーブ１００６から剥離する。また、現像主極Ｓ１→Ｓ２の間では、反発磁界が形成されてＳ１，Ｓ２の磁力が所定の角度で拡開して作用するようになっており、これら両磁極間ではトナーに作用する磁力が一時的に弱まり、トナーを高効率で感光ドラム５１に摺擦することができる構成、すなわちＦＸマイクロトーニング方式特有の構成となっている。
　【００２２】現像ロール１００２の両端外側にはトラッキングロール（不図示）が回動自在に設けられており、このトラッキングロールが感光ドラム５１に当接することにより現像ロール１００２と感光ドラム５１との間隙が維持されるようになっている。
　【００２３】一方、撹拌手段１００３は、現像ロール１００２と軸方向を一致させて配設された第１オーガ１００７及び第２オーガ１００８と、これらの２本のオーガ間を隔てるようにハウジング１００１に立設された仕切板１００９とから構成されている。第１オーガ１００７及び第２オーガ１００８はトナー搬送方向が相反するようにそれぞれの回動方向が決定されている。また、仕切板１００９の両端には第１オーガ１００７が配設された領域（以下第１撹拌路１０１０という）と第２オーガ１００８が配設された領域（以下第２撹拌路１０１１という）とを連通する開口部が設けられており、これによって第１撹拌路１０１０→第２撹拌路１０１１→第１撹拌路１０１０のようにトナーが循環されるようになっている。
　【００２４】更に、現像ロール１００２と撹拌手段１００３との間には、軸方向に平行な複数の羽根を１０１２ａを備えたパドルホイール１０１２が設けられている。このパドルホイール１０１２の回動に伴い、現像ロール１００２から剥離されたトナーを強制的に撹拌手段１００３の方へ搬送すると共に撹拌手段１００３によって混合撹拌されたトナーを連続的に現像ロール１００２へ供給するようになっている。
　【００２５】更に、現像ロール１００２の背面側でパドルホイール１０１２の上方に位置してハウジング１００１の天板から背面板１０１３が設けられている。この背面板１０１３はトリマー１００４と一体に形成され、ハウジング１００１に固定されている。この背面板１０１３により、吸着領域（パドルホイール１０１２に搬送されてきたトナーが現像ロール１００２に吸着する領域）の上方へ補助吸着領域が形成され、トリマー１００４により現像ロール１００２から掻き取られたトナーがこの補助吸着領域に充填され、時計回りに流動するようになっている。これにより、トナーの現像ロール１００２への吸着を均一となるようにしている。
　【００２６】更に、現像ロール１００２の感光ドラム５１側の下方、すなわち感光ドラム５１の回転方向下流側には、キャッチアップロール１０１４が設けられている。このキャッチアップロール１０１４は磁極Ｎ´，Ｓ´を有するマグネット部材１０１５と、このマグネット部材１０１５の周囲に回動可能な円筒状スリーブ１０１６とから構成されている。このキャッチアップロール１０１４により、感光ドラム５１上に転移したキャリアをスリーブ１０１６上に吸着するようにしている。
　【００２７】更に、ハウジング１００１の底部形状は、流動性の悪いトナーが搬送されずに停滞することのないような形状とされている。すなわち、現像ロール１００２からパドルホイール１０１２にかけての底部は、現像ロール１００２に吸着されたトナーを剥離領域まで案内する案内面１０１７と、剥離したトナーをパドルホイール１０１２に導く誘導面１０１８とが形成されている。この案内面１０１７と誘導面１０１８との交わる位置を剥離極Ｎ１及び吸着極Ｎ２の関係から定めることにより、現像ロール１００２から剥離した後のトナーの流動が促進されるようになる。
　【００２８】ハウジング１００１内の第１オーガ１００７の上方には、トナー供給装置１０２０が配設されている。図６および図７に示すように、このトナー供給装置１０２０は、トナーが充填されるトナーカートリッジ１０２１と、このトナーカートリッジ１０２１の下に配設されたトナーを収容するリザーブタンク１０２２（本発明のトナー収容部に相当する）とを備えている。すなわち、トナーカートリッジ１０２１の下にリザーブタンク１０２２が配置され、このリザーブタンク１０２２の下に第１オーガ１００７が配置されている。
　【００２９】図８および図９に示すように、トナーカートリッジ１０２１は紙から形成された円筒状部１０２３ａと樹脂から形成された両側壁部１０２３ｂとからなるケース本体１０２３、金属線によって形成されたアジテータ１０２４及びカップリング１０２５から構成されている。このように円筒状部１０２３ａを紙により形成すると、紙は自由に所定の長さに切ることができるので、円筒状部１０２３ａの長さを単に変えるだけで種々の機種に簡単に対応させることができるようになる。その上、紙は安価であるので、トナーカートリッジ１０２１はきわめて安価に形成することができるようになる。
　【００３０】カップリング１０２５は右側壁部１０２３ｂの中心部に回動自在に取り付けられており、このカップリング１０２５に、アジテータ１０２４の一端１０２４ａが連結されていると共に、アジテータ１０２４の他端１０２４ｂは、円形状に形成されてケース本体１０２３の内周面に当接支持されていて、アジテータ１０２４は片持ちで支持されている。このようにアジテータ１０２４を片持ちで支持する理由は、トナーカートリッジ１０２１の左側壁部１０２３ｂ側の側面を開口し、この開口を上方に向けた状態でトナーをトナーカートリッジ１０２１に充填させるようにしているので、トナーを充填する前では左側壁部１０２３ｂを円筒状部１０２３ａに固定しないためである。このように側面開口からトナーを充填することにより、トナーカートリッジ１０２１のトナーの充填効率を高くすることができる。
　【００３１】また、図８（ａ），（ｂ）に示すようにケース本体１０２３の底部には、リザーブタンク１０２２にトナーを供給するための供給孔１０２８及びトナーをバイパスして供給するためのバイパス孔１０２９が設けられている。供給孔１０２８は後述するリザーブタンク１０２２のタンク部１０３０の一方のトナー収容部１０３０ａに開口するようになっているのに対して、バイパス孔１０２９はリザーブタンク１０２２の現像手段５６へのトナー供給部１０３１に開口するようになっている。更に、トナーカートリッジ１０２１には、通常時にこれらの両孔１０２８，１０２９を閉塞する積層構造のシャッタ１０３２が本体１０２３に固定されたガイド部材１０３３に沿ってトナーカートリッジ１０２１の長手方向に摺動可能に設けられている。このシャッタ１０３２には、所定形状の貫通孔１０３２ａが穿設されている。更に、本体１０２３には両孔１０２８，１０２９を密閉するシール部材１０３２ｂ，１０３２ｃがそれぞれ貼付されており、これらのシール部材１０３２ｂ，１０３２ｃの一端は、シャッタ１０３２に固定されている（図８では、シャッタ１０３２とシール部材１０３２ａ，１０３２ｂの一端とは分離して示されているが、シール部材１０３２ｂ，１０３２ｃの一端はシャッタ１０３２の積層板間に挟持されるようになっている）。
　【００３２】図７に示すように、このトナーカートリッジ１０２１は複写機本体２に設けられたトナーカートリッジ設置部１０３５の所定位置に着脱可能に装着される。そして、トナーカートリッジ１０２１がトナーカートリッジ設置部１０３５にセットされたときは、トナーカートリッジ１０２１のカップリング１０２５が、本体２側に設けられている動力伝達機構１０２６の歯車１０２６ａに取り付けられたカップリング１０２５に噛み合い係合するようになっている。その場合、トナーカートリッジ１０２１の底面に形成された突起１０２１ａがトナーカートリッジ設置部１０３５に設けた凹部１０３５ａに嵌入係合することにより、トナーカートリッジ１０２１は所定位置に固定されるようになっている。そして、動力伝達機構１０２６を介して伝達されるモータ等の駆動部１０２７の回転駆動力によって、アジテータ１０２４はトナーが図７において矢印で示すように左から右へ流れるように回転される。
　【００３３】また図６及び図７に示すように、トナーカートリッジ１０２１がセットされたときには、トナーカートリッジ設置部１０３５に設けられた適宜の作動子によってシャッタ１０３２が長手方向に摺動させられることにより、シール部材１０３２ａ，１０３２ｂがケース本体１０２３から剥がれ、かつ供給孔１０２８からシャッタ１０３２が外れて供給孔１０２８が開くと共に、孔１０３４がバイパス孔１０２９に位置してバイパス孔１０２９が自動的に開くようになっている。
　【００３４】図６及び図１０に示すように、リザーブタンク１０２２は、前述のように二つのトナー収容部１０３０ａ，１０３０ｂからなるタンク部１０３０と、これらのトナー収容部１０３０ａ，１０３０ｂの間に配設され、現像手段５６にトナーを供給するトナー供給部１０３１とから構成されている。これらトナー収容部１０３０ａ，１０３０ｂ及びトナー供給部１０３１の間には、それぞれ仕切り壁１０３６，１０３７が配設されている。これら仕切り壁１０３６，１０３７は図１０において左端側がリザーブタンク１０２２の本体１０２２ａの左側壁１０２２ｂまで延設されていなく、したがって左側壁１０２２ｂと仕切り壁１０３６，１０３７左端との間には、それぞれ開口部１０３８，１０３９が形成されている。また、仕切り壁１０３６，１０３７にも、それらの右端から所定量左方寄りに開口部１０４０，１０４１が同様に設けられている。これらの開口部１０３８，１０３９，１０４０，１０４１により、トナー収容部１０３０ａ，１０３０ｂ及びトナー供給部１０３１が互いに連通するようになる。
　【００３５】トナー収容部１０３０ａ，１０３０ｂには、それぞれ螺旋状に巻かれた針金等の金属線からなるアジテータ１０４２，１０４３が互いに平行に配設されている。一方のアジテータ１０４２の右端１０４２ａは歯車軸１０４４に連結されていると供に左端１０４２ｂは左側壁１０２２ｂに回転可能に支持されている。このアジテータ１０４２の巻方向は一方向となっており、左端寄りで開口部１０３８に対向する位置には羽根１０４５が取り付けられている。他方のアジテータ１０４３の両端も同様にして支持されている。このアジテータ１０４３の巻方向は、開口部１０４１を境にして逆向きに巻かれている。すなわち、アジテータ１０４３は開口部１０４１より左方ではアジテータ１０４２と同じ巻方向で巻かれているが、開口部１０４１より右方ではアジテータ１０４２と逆の巻方向で巻かれている。アジテータ１０４３の巻方向が変わる位置、すなわち開口部１０４１に対向する位置には、羽根１０４６が取り付けられている。
　【００３６】更にトナー収容部１０３０ａの開口部１０４０よりも右端側は、トナー導入部１０３０ｃとされており、このトナー導入部１０３０ｃの底部には空検知センサ１０４７が設けられている。そして、この空検知センサ１０４７の真上にちょうどトナーカートリッジ１０２１の供給孔１０２８が位置する、すなわち供給孔１０２８が空検知センサ１０４７に対向するようになっている。このように供給孔１０２８と空検知センサ１０４７とが対向することにより、トナーカートリッジの空を正確に検知することができるようになる。この空検知センサ１０４７は、例えば振動数検知形センサとして形成され、センサ１０４７の上におけるトナーの有無により振動数が変化することを検知することにより、トナーカートリッジ１０２１内のトナー有無を検知するようになっている。
　【００３７】一方、トナー供給部１０３１の底部の所定位置には、現像手段５６にトナーを供給する供給孔１０４８が穿設されている。また、トナー供給部１０３１内には、オーガ１０４９が２本のアジテータ１０４２，１０４３と平行に配設されている。このオーガ１０４９もアジテータ１０４２，１０４３と同様に回動可能に本体１０２２ａに支持されている。オーガ１０４９の螺旋状に巻かれた羽根は供給孔１０４８を境にしてその巻方向が逆となっている。
　【００３８】このように構成されたリザーブタンク１０２２においては、トナーカートリッジ１０２１がトナーカートリッジ設置部１０３５にセットされると、シャッタ１０３２が摺動するので、供給孔１０２８及びバイパス孔１０２９がともに自動的に開く。このため、トナーカートリッジ１０２１内のトナーは、供給孔１０２８及びバイパス孔１０２９を通してリザーブタンク１０２２内に供給される。
　【００３９】バイパス孔１０２９を通るトナーは、直接オーガ１０４９に供給されるようになり、このオーガ１０４９によって直ちに供給孔１０４８を通して現像手段５６に供給される。これにより、トナーカートリッジ１０２１がセットされてから比較的短い時間でコピーができるようになる。
　【００４０】また、供給孔１０２８を通るトナーはトナー導入部１０４７に導入される。導入されたトナーは空検知センサ１０４７によって検知されると共に、アジテータ１０４２の回転により左方へ送られる。トナーが左方へ送られるとトナー導入部１０４７には、更にトナーカートリッジ１０２１から新たなトナーが導入される。トナーがトナー収容部１０３０ａの左端に来ると、そのトナーは羽根１０４５により開口部１０３８を通してトナー供給部１０３１の方へ送られる。トナー供給部１０３１に送られたトナーはその一部がオーガ１０４９によって供給孔１０４８の方へ送られ、その供給孔１０４８を通して現像手段５６の方へ供給される。その場合、トナーが供給孔１０４８を通り過ぎてもオーガ１０４９の羽根が逆向きとなっているので、通り過ぎたトナーは供給孔１０４８の方へ戻され、その供給孔１０４８を通して現像手段５６の方へ確実に送られる。
　【００４１】一方、トナー供給部１０３１に送られたトナーの残部は、羽根１０４５によって送られて来る新たなトナーに押されるので、開口部１０３９を通してトナー収容部１０３０ｂに流入する。トナー収容部１０３０ｂに流入したトナーは、アジテータ１０４３により右方の開口部１０４１の方へ送られる。開口部１０４１に来たトナーは、羽根１０４６により開口部１０４１，１０４０を通してトナー収容部１０３０ａに送られる。この場合にも、トナーが開口部１０４１を通り過ぎても逆向きのアジテータ１０４３により、トナーは開口部１０４１に戻される。
　【００４２】トナー収容部１０３０ａに流入したトナーは、アジテータ１０４２によって再び左方へ送られる。その場合、アジテータ１０４２により確実に左方へ送られるようになるので、開口部１０４０から流入したトナーは、右方のトナー導入部１０３０ｃの方へは流動しない。したがって、トナー導入部１０３０にはトナーカートリッジ１０２１からのトナーしか導入されない。これにより、トナーカートリッジ１０２１が空となってそのトナーがトナー導入部１０３０に導入されなくなると、トナー収容部１０３０ａ，１０３０ｂにトナーがあったとしても、トナー導入部１０３０にはトナーがなくなるので、空検知センサ１０４７はトナーカートリッジ１０２１の空を確実に検知することができるようなる。
　【００４３】このようにして、リザーブタンク１０２２内のトナーは、その所定量が供給孔１０４８から現像手段５６に送られ、残りがトナー収容部１０３０ａ，１０３０ｂの間を循環するようになる。この循環により、トナー収容部１０３０ａ，１０３０ｂ内のトナーが固まることを防止している。
　【００４４】また、トナー収容部１０３０ａ，１０３０ｂの容積は、トナーカートリッジ１０２１のトナーが空になっても、新しいトナーカートリッジがセットされるまでの間に２０００枚〜３０００枚のコピーが可能となる大きさに設定されている。その場合、空検知センサ１０４７によってトナーカートリッジ１０２１の空が検知された後、新しいトナーカートリッジがセットされない状態でかなりの枚数のコピーを行うと、トナー収容部１０３０ａ，１０３０ｂにおいてもトナーが少なくなる。この状態で新しいトナーカートリッジ１０２１がセットされても、トナー導入部１０３０ｃから現像手段５６への供給孔１０４８までのトナー搬送距離が比較的長いので、確実にコピーができない場合が考えられる。しかし、その場合には、前述のようにトナーカートリッジ１０２１のトナーがバイパス孔１０２９を通して直接オーガ１０４９に供給されるので、トナー収容部１０３０ａ，１０３０ｂ内のトナーが少なくても確実にコピーができるようになっている。
　【００４５】図１１に示すように、トナーカートリッジ１０２１、トナーカートリッジ設置部１０３５、リザーブタンク１０２２、動力伝達機構１０２６及びモータ駆動部１０２７からなるディスペンサ部１０５０が、コンソールパネル２１の下の本体２内に設定された、この本体２の左右方向つまり本体２の長手方向の実線で示すトナーカートリッジ１０２１使用位置Ａと、本体２の前後方向つまり本体２の長手方向と直角方向でトナーカートリッジ１０２１の一端側が本体２から外に飛び出した二点鎖線で示すトナーカートリッジ１０２１交換位置Ｂとの間で、トナーカートリッジ１０２１の他端側を中心に回動可能に本体２に支持されている。したがって、トナーカートリッジ１０２１を交換するには、ディスペンサ部１０５０を交換位置Ｂに回動し、使い終わったトナーカートリッジ１０２１を取り除くと共に、新しいトナーカートリッジ１０２１をトナーカートリッジ設置部１０３５にセットする。その後、ディスペンサ部１０５０を使用位置Ａまで回動してその使用位置Ａに固定する。その場合、リザーブタンク１０２２の底部にはトナー供給孔１０４８が形成されているので、リザーブタンク１０２２が交換位置Ｂに回動させられたとき、トナーがこのトナー供給孔１０４８からこぼれることが考えられる。このため、図示しないがリザーブタンク１０２２の底部には、トナー供給孔１０４８を密閉するシャッタが回動可能に設けられている。このシャッタは、リザーブタンク１０２２が使用位置Ａにあるときにはトナー供給孔１０４８を開口すると共に、リザーブタンク１０２２が交換位置Ｂにあるときにはトナー供給孔１０４８を密閉するように、リザーブタンク１０２２の回動に連動するようになっている。
　【００４６】転写部７は、感光ドラム５１側に向かって開口する断面コ字状のシェル７１内にワイヤ電極７２を張設した転写コロトロン７３と、この転写コロトロン７３の下流側に配設されると共に感光ドラム５１に向かって開口する断面コ字状のシェル７４内に２本のワイヤ電極７５，７６を互いに平行に張設した剥離コロトロン７６とから構成されている。
　【００４７】転写部７の下流側には転写後に感光ドラム５１に付着する用紙６を感光ドラム５１から剥離するための剥離爪２００が配設されている。更に剥離爪２００の下流側には感光ドラム５１に付着した残留トナーを除去するためのクリーニング装置３００が配設されている。この場合、クリーニング装置３００は、感光ドラム５１に付着するトナーを掻き取るクリーニングブレード３０１と、このクリーニングブレード３０１の上流側に設けられる回転ブラシロール３０２と、この回転ブラシロール３０２の上流側に設けられるトナー受け３０３と、このトナー受け３０３の感光ドラム５１側に取り付けられてその感光ドラム５１に接触するトナー飛散防止用フィルムシール３０４とから構成されている。
　【００４８】
　【発明の効果】以上の説明から明らかなように、本発明によれば、トナーカートリッジがトナー供給可能状態である位置に設定されたときは、トナーカートリッジが画像形成装置本体内に収容され、また、トナーカートリッジが交換可能である位置に設定されたときは、トナーカートリッジ
設置部
外に
【図面の簡単な説明】
　【図１】　本発明にかかる画像形成装置におけるトナー供給装置の実施の形態の一例が適用されるカラー複写機の一例を示す斜視図である。
　【図２】　図１に示す例のカラー複写機の概略断面図である。
　【図３】　図１に示す例のカラー複写機の画像形成装置の拡大断面図である。
　【図４】　図１に示す例の画像形成装置における画像形成プロセスを説明する図である。
　【図５】　図１に示す例の画像形成装置における現像手段の拡大断面図である。
　【図６】　図１に示す例の画像形成装置におけるトナー供給装置の横断面図である。
　【図７】　図１に示す例の画像形成装置におけるトナー供給装置の縦断面図である。
　【図８】　図１に示す例の画像形成装置におけるトナーカートリッジの一例を示し、（ａ）はその正面図、（ｂ）はその底面図である。
　【図９】　図１に示す例の画像形成装置におけるトナーカートリッジの一例を示し、（ａ）は右側面図、（ｂ）は図８（ａ）におけるＶＩＩＩｄ−ＶＩＩＩｄ線に沿う断面図である。
　【図１０】　図１に示す例の画像形成装置におけるリザーブタンクの水平断面図である。
　【図１１】　図１に示す例の画像形成装置におけるトナーカートリッジ装着の説明図である。
　【符号の説明】
１…カラー複写機、５…画像形成装置、５１…感光ドラム、５４…第１現像手段、５６…第２現像手段、１０２０…トナー供給装置、１０２１…トナーカートリッジ、１０２２…リザーブタンク、１０２３…トナーカートリッジ本体、１０２８…供給孔、１０３０…タンク部、１０３０ａ，１０３０ｂ…トナー収容部、１０３１…トナー供給部、１０３２…シャッタ、１０３５…トナーカートリッジ設置部